(57)【特許請求の範囲】
【請求項１】
可撓性を有するチューブ状をなす高強度被覆部の中空部分に爆薬を軸方向に連続して装填した爆索を備えた地雷処理装置において、
上記高強度被覆部は、爆薬を覆うフレキシブルホースと、このフレキシブルホースの外側を覆う高強度繊維を網状に編み込んでなる網目ホースを具備しているとともに、
爆薬は、これを防湿被覆材で覆った状態で上記フレキシブルホースの中空部分に軸方向に連続して装填され、
フレキシブルホースと爆薬との間に、爆薬の軸方向への移動を許容するクリアランスを設けたことを特徴とする地雷処理装置。
【請求項２】
爆索は、複数の分割索の網目ホース同士を高強度継手を介して連結し、かつ、爆薬同士はカプラを介して連結していることを特徴とする請求項１に記載の地雷処理装置。
【請求項３】
上記高強度継手は、フレキシブルホースを挿入可能でかつ網目ホースの端部に形成した複数本の束部を挿入して接着剤により固定する複数の連結孔を設けたソケットと、隣接する分割索に装着したソケット同士をつき合わせて連結するナット部材を具備していることを特徴とする請求項２に記載の地雷処理装置。
【請求項４】
上記カプラは、隣接する分割索の各防湿被覆材に対して挿入状態で締め付けバンドによりそれぞれ固定されるソケットとプラグ、及びそのソケットに嵌装状態でスライド可能に設けたスリーブを有してなり、
それらソケットとプラグとの連結又は分離を、スリーブをスライドさせることで行うようになっていることを特徴とする請求項２又は３に記載の地雷処理装置。
【発明の詳細な説明】
【０００１】
【発明が属する技術分野】
本発明は、地雷原に埋設された地雷を除去するのに用いられる地雷処理装置に関するものである。
【０００２】
【従来の技術】
従来、上記した地雷処理装置としては、例えば、図５に示すように、可撓性を有するスリーブ５２と、防湿被覆材５３で覆われた状態でスリーブ５２の中空部分５２ａに隙間なくそして軸方向に連続して装填された爆薬５４とを具備した爆索５５を備えていると共に、この爆索５５の端部に接続される起爆部(図示せず)を備えた地雷処理装置５１がある。
【０００３】
爆索５５のスリーブ５２は高強度繊維を密に織り込んで形成されており、爆索５５を地雷原にセットする際に負荷される引張り力に耐えうる強度部材としての機能と、同じく爆索５５を地雷原にセットする際に地面との間に生じる摩擦などの外乱から爆薬５４を護る保護部材としての機能とを併せ持っている。
【０００４】
この地雷処理装置５１の爆索５５は、複数の分割索５５Ａ同士を継手５６により連結してなっており、継手５６の挿入部分と分割索５５Ａの端部との間にはこの連結部分における可撓性を確保するためのゴムダンパー５８が設けてある。
【０００５】
この地雷処理装置５１において、爆索５５は分割索５５Ａの状態にして容器に折り畳んで収納するようにしてあり、使用する場合には、複数の分割索５５Ａ同士を継手５６により連結して爆索５５とし、爆索５５の起爆部を接続する端部とは反対側の端部を連結したロケット弾などの誘導部を遠方に移動させることによって地雷原にセットし、これに続く起爆部の作動による爆薬５４の爆発を誘導部側の端部に向けて伝播させて、この爆発の伝播に伴う爆風により爆索５５の周辺の地雷を除去処理するようにしている。(図３および図４参照)
【０００６】
【発明が解決しようとする課題】
ところが、上記した従来の地雷処理装置５１では、爆索５５の爆薬５４が防湿被覆材５３で覆われた状態でスリーブ５２の中空部分５２ａに隙間なく装填されてスリーブ５２とほぼ一体構造をなしているので、ロケット弾などの誘導部を作動させることによって爆索５５を地雷原にセットするに際して、爆索５５に生じる引張り力により被覆材５３で覆われた爆薬５４までもがスリーブ５２とともに伸びてしまい、図５(ｂ)に示すように、爆薬５４の径が許容値よりも細くなったり、許容値を越える間隔の破断部Ｘが爆薬５４間に発生したりした場合には、爆発の伝播が中断してしまう可能性があるという問題を有しており、この問題を解決することが従来の課題となっていた。
【０００７】
【発明の目的】
本発明は、上記した従来の課題に着目してなされたもので、爆索を地雷原にセットする際に、爆索内の爆薬の径が細くなったり破断したりするのを阻止することができ、その結果、起爆時には、爆発を円滑に伝播させて爆索周辺の地雷を確実に除去することが可能である地雷処理装置を提供することを目的としている。
【０００８】
【課題を解決するための手段】
請求項１に記載の地雷処理装置は、可撓性を有するチューブ状をなす高強度被覆部の中空部分に爆薬を軸方向に連続して装填した爆索を備えたものであり、上記高強度被覆部が、爆薬を覆うフレキシブルホースと、このフレキシブルホースの外側を覆う高強度繊維を網状に編み込んでなる網目ホースを具備しているとともに、爆薬が、これを防湿被覆材で覆った状態で上記高強度被覆部の中空部分に軸方向に連続して装填され、高強度被覆部と爆薬との間には、爆薬の軸方向への移動を許容するクリアランスを設けたことを特徴としている。
【０００９】
請求項２に記載の地雷処理装置は、請求項１に記載した爆索が、複数の分割索の網目ホース同士を高強度継手を介して連結し、かつ、爆薬同士をカプラを介して連結していることを特徴としている。
【００１０】
請求項３に記載の地雷処理装置は、請求項２に記載した上記高強度継手が、フレキシブルホースを挿入可能でかつ網目ホースの端部に形成した複数本の束部を挿入して接着剤により固定する複数の連結孔を設けたソケットと、隣接する分割索に装着したソケット同士をつき合わせて連結するナット部材を具備していることを特徴としている。
【００１１】
請求項４に記載の地雷処理装置は、請求項２又は３に記載のカプラが、隣接する分割索の各防湿被覆材に対して挿入状態で締め付けバンドによりそれぞれ固定されるソケットとプラグ、及びそのソケットに嵌装状態でスライド可能に設けたスリーブを有してなり、それらソケットとプラグとの連結又は分離を、スリーブをスライドさせることで行うことを特徴としている。
【００１２】
【発明の作用】
請求項１に記載した発明は、ロケット弾等の誘導部によって爆索を地雷原にセットするに際して、可撓性を有するチューブ状をなす高強度被覆部が爆索に負荷される引張り力によって伸びたとしても、高強度被覆部の中空部分において爆薬の軸方向への移動が許容されていることから、すなわち、爆薬に引張り力が直接負荷されないようにしてあることから、爆薬が伸びて径が許容値よりも細くなったり、許容値を越える間隔の破断部が発生したりすることが回避され、その結果、起爆時には、爆薬の爆発が滞りなく伝播されて爆索周辺の地雷の除去が確実になされることとなる。
【００１３】
また、爆索の外側被覆体として高強度繊維を網状に編み込んでなる網目ホースを採用しているので、網目ホースを形成する対象が爆薬ではなく内側被覆体になり、従来火工品を取り扱う業者にしか依頼することができなかった高強度被覆部の製造を火工品の取り扱い免許を持たないホースやロープの製造業者に発注し得ることとなり、高強度被覆部の品質の向上が図られることとなる。
【００１４】
さらに、爆索の地雷除去機能を有する爆薬に対する高強度被覆部の質量構成比が、従来と比較して大幅に低減することとなり、爆索の設置精度及び運搬作業性の向上が図られることとなる。
【００１５】
請求項２に記載した地雷処理装置は、収納及び運搬が容易になされるとともに、高強度繊維を網状に編み込んでなる分割索の網目ホース同士の連結も簡単かつ確実になされることとなる。
【００１６】
請求項３に記載した地雷処理装置は、フレキシブルホースで覆われた爆薬をカプラで連結することにより、高強度繊維を網状に編み込んでなる分割索の網目ホース同士の連結も簡単かつ確実になされることとなる。
【００１７】
請求項４に記載した地雷処理装置は、ソケットとプラグとの連結又は分離を、スリーブをスライドさせることで行えるようになる。
【００１８】
【発明の効果】
請求項１に記載の発明によれば、次の効果を得ることができる。
爆索内の爆薬の径が細くなったり破断したりするといった事態を生じさせることなく爆索を地雷原にセットすることができ、したがって、起爆時において、爆索の全長にわたって爆薬の爆発を滞りなく伝播させて、爆索周辺に設置されている地雷を確実に除去することが可能であるという非常に優れた効果がもたらされる。
また、爆索の外側被覆体として高強度繊維を網状に編み込んでなる網目ホースを採用しているので、従来火工品の取り扱いが許された者に依頼していた高強度被覆部の製造をホースやロープの製造専門業者に発注することができ、その結果、高強度被覆部の品質の向上を実現することが可能であるという非常に優れた効果がもたらされる。
さらに、爆索の地雷除去機能を有する爆薬に対する高強度被覆部の質量構成比が、従来と比較して大幅に低減することとなり、爆索の設置精度及び運搬作業性の向上が図られることとなる。
【００１９】
請求項２に記載した発明によれば、収納及び運搬が容易になされるとともに、高強度繊維を網状に編み込んでなる分割索の網目ホース同士の連結も簡単かつ確実になされる。
請求項３に記載した発明によれば、フレキシブルホースで覆われた爆薬をカプラで連結することにより、高強度繊維を網状に編み込んでなる分割索の網目ホース同士の連結も簡単かつ確実になされる。
請求項４に記載した発明によれば、ソケットとプラグとの連結又は分離を、スリーブをスライドさせることで行うことができる。
【００２０】
【実施例】
以下、本発明を図面に基づいて説明する。
【００２１】
図１ないし図４は本発明に係わる地雷処理装置の一実施例を示している。
【００２２】
図１および図３に示すように、この地雷処理装置１は、可撓性を有するチューブ状をなす高強度被覆部１１と、防湿被覆材１２で覆われた状態で高強度被覆部１１の中空部分１１ａに軸方向に連続して装填された爆薬１３とを具備した爆索１０を備えていると共に、この爆索１０の端部に接続される起爆部２を備えている。
【００２３】
この場合、爆索１０の高強度被覆部１１は、爆薬１３を覆う内側被覆体としてのフレキシブルホース１４と、このフレキシブルホース１４の外側を覆うべく高強度繊維を網状に編み込んで形成した外側被覆体としての網目ホース１５を具備しており、この高強度被覆部１１のフレキシブルホース１４と爆薬１３との間には、爆薬１３の軸方向への移動を許容するクリアランスＣが設けてある。
【００２４】
高強度被覆部１１の網目ホース１５は、爆索１０を地雷Ｍが埋設された地雷原にセットする際に生じる引張り力に耐えうる強度部材として機能するようになっており、この網目ホース１５が引張り力によって伸びた場合であったとしても、図２に示すように、上記フレキシブルホース１４と爆薬１３との間に設けたクリアランスＣにより、爆薬１３に直接引張り力Ｓがかからないようになっている。
【００２５】
一方、フレキシブルホース１４は、同じく爆索１０を地雷原にセットする際に地面との間に生じる摩擦などの外乱から爆薬１３を護る保護部材として機能するようになっている。
【００２６】
また、爆索１０は複数の分割索１０Ａ同士を連結してなっており、高強度被覆部１１同士は高強度継手２０を介して連結され、爆薬１３同士はカプラ３０を介して連結されている。
【００２７】
爆索１０の分割索１０Ａのフレキシブルホース１４とともに網目ホース１５を連結する高強度継手２０は、フレキシブルホース１４の端部を挿入した状態で固定しかつ網目ホース１５の端部に形成した複数本の束部１５ａをそれぞれ挿入して接着剤２１により固定する複数の連結孔２２ａを設けたソケット２２と、分割索１０Ａに装着したソケット２２,２２同士を連結するナット部材２３を具備しており、対向するソケット２２,２２同士は、一方のソケット２２(図１左側のソケット２２)の外向きフランジ２２ｂにナット部材２３の内向きフランジ２３ｂを係止させつつ他方のソケット２２(図１右側のソケット２２)のおねじ部２２ｃにナット部材２３のめねじ部２３ｃをねじ込んで連結されるようになっている。
【００２８】
爆薬１３同士を連結するカプラ３０は、隣接する分割索１０Ａ,１０Ａの各防湿被覆材１２,１２に対して挿入状態で締め付けバンド３１によりそれぞれ固定されるソケット３２およびプラグ３３を有しており、ソケット３２およびプラグ３３の連結および分離はソケット３２に嵌装状態で設けたスリーブ３４をスライドさせることで行うようになっている。
【００２９】
なお、図１(ｂ)における符号２４はゴムダンパーである。
【００３０】
この地雷処理装置１において、爆索１０は分割索１０Ａの状態にして容器３に折り畳んで収納するようにしてあり、使用する場合には、図３に示すように、複数の分割索１０Ａ同士を高強度継手２０およびカプラ３０により連結して爆索１０とし、この爆索１０の起爆部２を接続する端部とは反対側の端部を発射スタンド４上のロケット弾５に連結した後、このロケット弾５を発射して遠方に飛翔させることによって、図４(ａ)に示すように、爆索１０を地雷Ｍが埋設された地雷原にセットし、これに続いて、図４(ｂ)に示すように、起爆部２の作動による爆薬１３の爆発をロケット弾５と連結している端部に向けて伝播させて、この爆発の伝播に伴う爆風により、図４(ｃ)に示すように、爆索１０の周辺の地雷Ｍを除去処理して通行可能な道路Ｒを形成するようにしている。
【００３１】
この地雷処理装置１では、ロケット弾５によって爆索１０を地雷原にセットする場合、可撓性を有する高強度被覆部１１が爆索１０に負荷される引張り力によって伸びたとしても、高強度被覆部１１の中空部分１１ａにおいて爆薬１３の軸方向への移動が許容されているので、すなわち、爆薬１３に引張り力が直接負荷されないようにしてあるので、爆薬１３が伸びることによって径が許容値よりも細くなったり、許容値を越える間隔の破断部が発生したりすることが回避されることとなり、起爆時には、爆薬１３の爆発が滞りなくロケット弾５側の端部にまで伝播されて、爆索１０の周辺に設置されている地雷Ｍの除去が確実になされることとなる。
【００３２】
また、この地雷処理装置１において、爆薬１３を覆う内側被覆体としてのフレキシブルホース１４と、このフレキシブルホース１４の外側を覆うべく高強度繊維を網状に編み込んで形成した外側被覆体としての網目ホース１５とから爆索１０の高強度被覆部１１を構成しているので、網目ホース１５を形成する対象が爆薬１３ではなくフレキシブルホース１４になり、従来において火工品を取り扱う業者にしか依頼できなかった高強度被覆部の製造をホースやロープの製造を専門とする業者に発注し得ることとなり、その結果、高強度被覆部の品質の向上が図られることとなる。
【００３３】
さらに、この地雷処理装置１では、爆索１０の高強度被覆部１１をフレキシブルホース１４と網目ホース１５との二重構造にしているので、爆索１０の地雷除去機能を有する爆薬１３に対する高強度被覆部１１の質量構成比が、従来と比較して大幅に低減することとなり、爆索１０の設置精度および運搬作業性の向上が図られることとなる。
【００３４】
さらにまた、この地雷処理装置１では、複数の分割索１０Ａ同士を連結して爆索１０を形成していることから、収納および運搬が容易になされることとなり、加えて、この地雷処理装置１において、爆索１０の分割索１０Ａの網目ホース１５同士を連結する高強度継手２０が、網目ホース１５の端部に固定されるソケット２２と、分割索１０Ａに装着したソケット２２,２２同士を連結するナット部材２３とから主として構成されているので、フレキシブルホース１４で覆われた爆薬１３をカプラ３０で連結すれば、高強度繊維を網状に編み込んでなる分割索１０Ａの網目ホース１５同士の連結も簡単かつ確実になされることとなる。
【００３５】
本発明に係わる地雷処理装置の詳細な構成は、上記した実施例に限定されるものではない。
【図面の簡単な説明】
【図１】本発明に係わる地雷処理装置の一実施例を示す側面説明図(ａ)および断面説明図(ｂ)である。
【図２】図1における地雷処理装置の爆索が引張り力を受けた際の挙動を示す部分破砕側面説明図である。
【図３】図1における地雷処理装置の爆索がロケット弾によって地雷原にセットされる状況を示す動作説明図である。
【図４】図３においてロケット弾によりセットされた地雷処理装置の爆索が地雷原に通行可能な道路を形成するまでの工程説明図(ａ),(ｂ),(ｃ)である。
【図５】従来の地雷処理装置の爆索の断面説明図(ａ)および爆索が引張り力を受けた際の挙動を示す断面説明図(ｂ)である。
【符号の説明】
１  地雷処理装置
１０  爆索
１０Ａ  分割索
１１  高強度被覆部
１１ａ  高強度被覆部の中空部分
１３  爆薬
１４  フレキシブルホース(内側被覆体)
１５  網目ホース(外側被覆体)
１５ａ  束部
２０  高強度継手
２１  接着剤
２２ａ  連結孔
２２  ソケット
２３  ナット部材
３０  カプラ
Ｃ  クリアランス
【図１】
0004442786.tif 000002
【図２】
0004442786.tif 000003
【図３】
0004442786.tif 000004
【図４】
0004442786.tif 000005
【図５】
0004442786.tif 000006